(57)【要約】      （修正有）【課題】足の不自由な方が足先を上げて歩行トレーニングができる杖装着型の歩行補助具を提供する。【解決手段】杖下部を保持するための杖保持体６を設け、杖保持体に対し上方から着脱可能に挿入保持される挿入体を設け、挿入体に対し直角方向に突出する可撓体（圧縮コイルスプリング１６）を設けたことを特徴とする。【選択図】図１０
0003223335.tif 000002
【実用新案登録請求の範囲】
【請求項１】
杖下部を保持するための杖保持体を設け、該杖保持体に対し着脱可能に挿入保持される挿入体を設け、該挿入体に対し直角方向に突出する可撓体を設けたことを特徴とする杖用着脱型歩行補助具。
【請求項２】
杖保持体を、相互に固定される杖保持板と挿入板保持体および板バネから構成し、杖保持板は相互平行面をその両端に有してこの平行面に孔もしくは雌ネジを設け、平面視コ字形の挿入板保持体を該杖保持板に固定し、挿入板保持体の上端から下向き中程までにスリットを設け、上記挿入板保持体に板バネを斜方固定して杖保持体を構成し、挿入体を、挿入板を設けるとともにその下部に一対の下部スリットを設け、挿入板中程に可撓体を突設して構成してなる請求項１記載の杖用着脱型歩行補助具。
【請求項３】
板バネにバネ折曲部を、挿入板にバネ当接部を各々設け、挿入板保持体の上部スリットに挿入板の下部スリットをあてがって挿入した場合に、バネ折曲部とバネ当接部とが押圧接触するよう構成してなる請求項２記載の杖用着脱型歩行補助具。
【請求項４】
可撓体を圧縮コイルスプリングとしてなる請求項１から３のいずれかの項に記載の杖用着脱型歩行補助具。
【請求項５】
可撓体をその側面に切除部を有してなるゴム管体としてなる請求項１から３のいずれかの項に記載の杖用着脱型歩行補助具。
【考案の詳細な説明】
【技術分野】
【０００１】  この考案は、足の不自由な方の杖使用時における歩行補助のための補助具に関する。
【背景技術】
【０００２】  従来より、杖は多用されているが、杖を用いた場合に杖に装着して用いる歩行補助具は見当たらない。
【考案の概要】
【考案が解決しようとする課題】
【０００３】  一般的に高齢になってくると杖を用いる人が増えてくる。また、身体障害者など足の不自由な方も杖を用いるケースが多い。杖は棒状の物品で、最上部には握り柄部分があり、これを握って用いる。足の不自由さにもいろいろあるが、その一つは歩行時に足先を持ち上げる高さが不十分であることで、そのためちょっとした段差にも足先が当たってつまずく原因ともなりがちである。
人は歩行時に足元を視野に入れており、段差箇所例えば階段や車道から歩道に移行するときの段差などへさしかかると、目視にてその高さ等を視認して適切に足を運ぶこととなる。しかし、足の不自由な方は平滑路面の歩行時でも足をあまり上げることなく、引きずるように歩くことが多いため、上記段差につまずきやすくなる。
これを防ぐためには、普段から足先を上げての歩行トレーニングが好ましいのであるが、これといった適当手段が見当たらないのが現状である。
本案は以上に鑑み、普通に杖を使用しながら上記トレーニングを行うことができ、また歩行時に本案品を意識することとなるために歩行しやすくなる新規かつ有用なる手段を提供することを目的として発案されたものである。
【課題を解決するための手段】
【０００４】  課題を解決する手段として本案は以下の構成とした。
すなわち、本案の第一は、杖下部を保持するための杖保持体を設け、該杖保持体に対し着脱可能に挿入保持される挿入体を設け、該挿入体に対し直角方向に突出する可撓体を設けたことを特徴とする杖用着脱型歩行補助具である。
本案の第二は、杖保持体を、相互に固定される杖保持板と挿入板保持体および板バネから構成し、杖保持板は相互平行面をその両端に有してこの平行面に孔もしくは雌ネジを設け、平面視コ字形の挿入板保持体を該杖保持板に固定し、挿入板保持体の上端から下向き中程までにスリットを設け、上記挿入板保持体に板バネを斜方固定して構成し、挿入体を、挿入板を設けるとともにその下部に一対の下部スリットを設け、挿入板中程に可撓体を突設してなる構成してなる請求項１記載の杖用着脱型歩行補助具である。
本案の第三は、板バネにバネ折曲部を、挿入板にバネ当接部を各々設け、挿入板保持体の上部スリットに挿入板の下部スリットをあてがって挿入した場合に、バネ折曲部とバネ当接部とが押圧接触するよう構成してなる請求項２記載の杖用着脱型歩行補助具である。
本案の第四は、可撓体を圧縮コイルスプリングとしてなる請求項１から３のいずれかの項に記載の杖用着脱型歩行補助具である。
本案の第五は、可撓体をその側面に切除部を有してなるゴム管体としてなる請求項１から３のいずれかの項に記載の杖用着脱型歩行補助具である。
【考案の効果】
【０００５】  本案は下記の効果を有する。
１．専用の杖を使用することなく、市販の杖に装着して用いることができる。
２．一対の杖保持体にて杖に装着するので、左右いずれか選択した方向に可撓体を突出させることができ、杖の右手使用もしくは左手使用に対応することができる。
３．スリットと板バネにて杖保持体と挿入体を容易に押圧保持させることができ、可撓体方向を容易に選択することができる。
４．可撓体を歩行時に視認することにて、足先を自然に上げることができるため、歩行訓練を容易に行うことができる。
５．可撓体を用いたので、この可撓体に足先が当たっても足へのダメージを防ぐことができる。
６．ビスを用いた螺着方式にて杖に装着するので、杖外径に対処させて用いることができ、また杖への上下方向装着位置を適宜に選択することができる。
【図面の簡単な説明】
【０００６】
【図１】本考案の杖保持体の平面図
【図２】本考案の杖保持体の正面図
【図３】本考案の杖保持体の右側面図
【図４】本考案の挿入体の正面図
【図５】本考案の挿入体を杖保持体に挿入した状態の正面図
【図６】本考案の挿入体を杖保持体に挿入した状態の右側面図
【図７】本考案の挿入体と杖保持体との板バネ押圧関係説明図
【図８】本考案の杖保持体の装着説明図
【図９】本考案の装着説明図（左側面視）
【図１０】本考案の装着説明図（正面視）
【図１１】本考案の他例説明図
【図１２】本考案の他例説明図
【考案を実施するための形態】
【０００７】  以下、本考案の実施形態について説明する。
図において、１は杖保持板で、所定厚の金属板を折曲加工して形成され、その左右方向両端近傍には平行平面が形成されるとともに、孔もしくは雌ネジが刻設される。
２は挿入板保持体で、平面視コ字形の金属板であってその上部両側には上部スリット３が設けられる。４は板バネで、その上部の孔を介して上記挿入板保持体に図７のごとくリベット止めされる。この板バネ下部は図７のように、直角凸部を有するように折曲されたバネ折曲部５が形成される。また、杖保持板と挿入板保持体とは各々孔を有してこの孔を介して上下二箇所がリベット止めされる。
以上の構成にて杖保持体６が形成され、この杖保持体は一対が設けられ、一方の杖保持体両側に孔が、他方の杖保持体両側には雌ネジが刻設されて、図８に示すようにビスを用いて杖に固定される。
【０００８】  １０は挿入板であり、その上部は折曲されて折曲部１１となり、その下部には一対の下部スリット１２が設けられる。このスリット間は舌片部１３となり、この舌片部下端は円弧状に形成されて円弧部１４となる。また、この舌片部中程は、直角上に突出するバネ当接部１５として形成される。１６は所定長の可撓体としての圧縮コイルスプリング、１７は該スプリング端に被嵌されるゴムキャップである。
以上の挿入板からゴムキャップまでの構成にて挿入体１８が形成される。
以上が、本案の実施形態である。
【０００９】  次に本案の使用について説明する。
本案を使用するには、まず、杖に杖保持体を固定する。既述のごとく、ビスを用いて図８のように一対の杖保持体を固定するが、通常は杖の最下端位置近傍に固定する。
次に、杖を右手と左手のどちらで使用するかを決め、選択した杖保持体に挿入体を挿入する。挿入板の下部スリットを挿入板保持体の上部スリットにあてがい、そのまま下方移動させる。下部スリットの上端は上部スリットの下端に接して挿入後の下降は阻止されてその上下位置が定まる。
既述のように、挿入板保持体には板バネが下向き斜方に突設されており、この板バネはその固定箇所に対しその弾性にて角度変更が可能である。また図７のごとくバネ折曲部を有している。一方、挿入板の舌片部にもバネ当接部が設けられており、バネ折曲部とバネ当接部は相似形である。
【００１０】  従って、挿入板の下降にてまず舌片部下端が板バネのバネ折曲部より上の位置にて当接し、舌片部の下降に伴いこの板バネは舌片部に押圧接触しながら角度を変えていく。
やがて前記のバネ折曲部の突出箇所は舌片部の折曲凹部すなわちバネ当接部へはまり込んで、挿入板は挿入板保持体に押圧固定される。
このバネ折曲部は常に挿入板を押圧する方向へと付勢されているので、挿入板保持体に対する挿入板位置は保持される。この挿入板には可撓体としての圧縮コイルスプリングが突設されているので、図１０にて示すように杖に対して直角に突出することとなる。
【００１１】  歩行時は，例えば杖を右手使用としたとき、この可撓体は足側に突出しているために、歩行者は足先をこの可撓体の上をまたぐようにして歩くこととなり、自然なる足先の持ち上げ歩行をすることができる。
可撓体方向を変えるときは、挿入板上端の折曲部１１に指を掛けて上向きの力を加える。
この力にて挿入板はバネ力に逆らって板バネ角度を変化させ、これにてバネ折曲部からバネ当接部が外れ、そのままこの挿入板を上方移動させて、挿入板保持体から離脱させることができる。このように、互いのスリット係合方式を用いているので、挿入板保持体に対する挿入板の前後左右方向移動は阻止され、また上下方向は上述手段以外による移動を防ぐことができる。
【００１２】  以上本案について記したが、本案は各部材を介して可撓体を杖に対し人体方向に突設するところにその特徴を有して、これを歩行者が視認して足先の運びをスムースにするものである。本案は既述のごとく杖に対し着脱可能であり、左右いずれでも使用することができる。なお、既例では可撓体に圧縮コイルスプリングを用いたが、図１１および図１２に示すスタイルでも可能である。
図１１は可撓体にゴム管２０を用い、このゴム管の横方向に等配の細幅スリット２１（切除部）を設けたもので、その構造から足先が当たってもこのゴム管は容易に変形するので、既述の圧縮コイルスプリングと同等の効果を有するものである。図１２はスリット形状を曲線状としたもので、その他は図１１の例と同様である。なお、既例では本品取り付け位置を石突きゴムキャップの直上としたが、杖保持板の形状変更にて、この石突き箇所に取り付けることも可能である。なお、舌片部下端に円弧部を設けたので、舌片部下降時にまずこの円弧部最下端が板バネに当たるので、微少面積接触となり、板バネの角度変更を容易とすることができる。なお、板バネの初期位置は図７の二点鎖線で示す位置である。
圧縮コイルスプリングにゴムキャップをかぶせたので、スプリング端を保護するとともに、カラーのゴムキャップとすることで、スプリング端の視認が容易となる。
以上のごとく、本案によって杖使用時の歩行トレーニングに有効なる物品を得ることができる。
【符号の説明】
【００１３】  １  杖保持板
２  挿入板保持体
３  上部スリット
４  板バネ
５  バネ折曲部
６  杖保持体
７  杖
８  石突きゴムキャップ
９  握り柄
１０  挿入板
１１  折曲部
１２  下部スリット
１３  舌片部
１４  円弧部
１５  バネ当接部
１６  圧縮コイルスプリング
１７  ゴムキャップ
１８  挿入体
２０  ゴム管
２１  細幅スリット
２２  曲線状スリット
【図１】
0003223335.tif 000003
【図２】
0003223335.tif 000004
【図３】
0003223335.tif 000005
【図４】
0003223335.tif 000006
【図５】
0003223335.tif 000007
【図６】
0003223335.tif 000008
【図７】
0003223335.tif 000009
【図８】
0003223335.tif 000010
【図９】
0003223335.tif 000011
【図１０】
0003223335.tif 000012
【図１１】
0003223335.tif 000013
【図１２】
0003223335.tif 000014